(57)【要約】【課題】設計の自由度が高く、収容室内の全体に冷気を容易に行き渡らせることができる冷凍冷蔵保存庫を提案する。【解決手段】収容物を冷蔵又は冷凍した状態で保存可能な冷凍冷蔵保存庫１００であって、熱交換器２２を備え、冷気を供給する冷却部２０と、冷却部２０の上に配置され、収容物が収容される箱状体を呈する本体部１０と、を有し、本体部１０は、底部１１と、底部１１の長手方向の一端側から立ち上がる一端側側壁部１３と、長手方向の他端側から立ち上がる他端側側壁部１４と、開口を覆う蓋部１５と、を有し、本体部１０の中央部から本体部１０の内部に冷気が供給されるとともに、中央部から一端側及び他端側に回った空気が底部１１の内部に形成された流路を通り冷却部２０に戻って循環するように構成されていることを特徴とする。【選択図】図１
0003213007.tif 000002
【実用新案登録請求の範囲】
【請求項１】
収容物を冷蔵又は冷凍した状態で保存可能な冷凍冷蔵保存庫であって、
熱交換器を備え、冷気を供給する冷却部と、
前記冷却部の上に配置され、前記収容物が収容される箱状体を呈する本体部と、を有し、
前記本体部は、底部と、前記底部の長手方向の一端側から立ち上がる一端側側壁部と、長手方向の他端側から立ち上がる他端側側壁部と、開口を覆う蓋部と、を少なくとも有し、
前記本体部の中央部から前記本体部の内部に冷気が供給されるとともに、
前記中央部から一端側及び他端側に回った空気が前記底部の内部に形成された流路を通り前記冷却部に戻って循環するように構成されていることを特徴とする冷凍冷蔵保存庫。
【請求項２】
前記一端側側壁部及び前記他端側側壁部は、開閉可能又は着脱可能に形成されていることを特徴とする請求項１に記載の冷凍冷蔵保存庫。
【請求項３】
前記本体部は、前記底部の短手方向から立ち上がる一対の側壁部を更に有し、
前記底部及び前記一対の側壁部を通って冷気が内部に供給されるとともに、
前記一端側側壁部、前記他端側側壁部及び前記底部を通って空気が戻るように構成されていることを特徴とする請求項１又は請求項２に記載の冷凍冷蔵保存庫。
【考案の詳細な説明】
【技術分野】
【０００１】
本考案は、冷凍冷蔵保存庫に関する。
【背景技術】
【０００２】
遺体を冷凍又は冷蔵し、遺体が腐敗するのを防止する冷凍冷蔵保存庫が知られている（例えば、特許文献１）。当該冷凍冷蔵保存庫は、直方体を呈し、脚部側に冷却部を備えている。また、当該冷凍冷蔵保存庫の側壁部側が開閉することで、遺体を収容又は取り出す構成になっている。
【先行技術文献】
【特許文献】
【０００３】
【特許文献１】実開平５−２０７１３号公報
【考案の概要】
【考案が解決しようとする課題】
【０００４】
ところで、従来の冷凍冷蔵保存庫では、遺体を冷却する冷却部が、遺体収容室における遺体の脚部側に設けられていたため、冷気を遺体収容室内の全体に行き渡らせるためには大きな出力を要するという問題があった。また、脚部側（又は頭部側）に冷却部があると、脚部側（又は頭部側）の側壁部を開閉することができず、設計の自由度が低いという問題がある。更に、遺体以外の収容物を保存する冷凍冷蔵保存庫にも、同様の問題が想定される。
このような観点から、本考案は、設計の自由度が高く、収容室内の全体に冷気を容易に行き渡らせることができる冷凍冷蔵保存庫を提案することを課題とする。
【課題を解決するための手段】
【０００５】
前記課題を解決するために、本考案の冷凍冷蔵保存庫は、収容物を冷蔵又は冷凍した状態で保存可能な冷凍冷蔵保存庫であって、熱交換器を備え、冷気を供給する冷却部と、前記冷却部の上に配置され、前記収容物が収容される箱状体を呈する本体部と、を有し、前記本体部は、底部と、前記底部の長手方向の一端側から立ち上がる一端側側壁部と、長手方向の他端側から立ち上がる他端側側壁部と、開口を覆う蓋部と、を少なくとも有し、前記本体部の中央部から前記本体部の内部に冷気が供給されるとともに、前記中央部から一端側及び他端側に回った空気が前記底部の内部に形成された流路を通り前記冷却部に戻って循環するように構成されていることを特徴とする。
また、前記一端側側壁部及び前記他端側側壁部は、開閉可能又は着脱可能に形成されていることを特徴とする。
更に、前記本体部は、前記底部の短手方向から立ち上がる一対の側壁部を更に有し、前記底部及び前記一対の側壁部を通って冷気が内部に供給されるとともに、前記一端側側壁部、前記他端側側壁部及び前記底部を通って空気が戻るように構成されていることを特徴とする。
【考案の効果】
【０００６】
本考案の冷凍冷蔵保存庫によれば、設計の自由度が高く、収容室内の全体に冷気を容易に行き渡らせることができる。
【図面の簡単な説明】
【０００７】
【図１】本実施形態に係る冷凍冷蔵保存庫を模式的に示す側面図である。
【図２】本実施形態に係る冷凍冷蔵保存庫を模式的に示す平面図である。
【図３】本実施形態に係る冷凍冷蔵保存庫の図２におけるIIＢ−IIＢ線での断面図である。
【図４】本実施形態に係る冷凍冷蔵保存庫の中央部を模式的に示す斜視図である。
【図５】本実施形態に係る冷凍冷蔵保存庫の図２におけるIIＣ−IIＣ線での断面図である。
【図６】本実施形態に係る冷凍冷蔵保存庫における覗き窓部を示す拡大図であって、（ａ）は平面図であり、（ｂ）は断面図である。
【考案を実施するための形態】
【０００８】
以下、本考案の実施形態について図面に基づいて説明する。なお、以下の説明において参照する図面は、実施形態を概略的に示したものであるため、各部材のスケールや間隔、位置関係などが誇張、あるいは、部材の一部の図示が省略されている場合がある。また、例えば平面図とその断面図において、各部材のスケールや間隔が一致しない場合もある。また、以下の説明では、同一の名称及び符号については原則として同一又は同質の部材を示しており、詳細な説明を適宜省略することとする。
【０００９】
≪冷凍冷蔵保存庫の構成≫
まず、図１から図６を参照して、本実施形態に係る冷凍冷蔵保存庫１００の構成について説明する。図１は、本実施形態に係る冷凍冷蔵保存庫１００を模式的に示す側面図であり、図２は、本実施形態に係る冷凍冷蔵保存庫１００を模式的に示す平面図であり、図３は、図２におけるIIＢ−IIＢ線での断面図であり、図４は、本実施形態に係る冷凍冷蔵保存庫１００の中央部を模式的に示す斜視図であり、図５は、図２におけるIIＣ−IIＣ線での断面図であり、図６は、覗き窓部を示す拡大図であって、（ａ）は平面図であり、（ｂ）は断面図である。本実施形態の説明における「前後」、「左右」、「上下」は各図の矢印に従う。
【００１０】
また、図１から図６において、実線矢印及び点線矢印は、冷気の流れを表し、白抜き実線矢印及び白抜き点線矢印は、排気の流れを示している。
【００１１】
図１に示すように、冷凍冷蔵保存庫１００は、収容物を冷凍状態、冷蔵状態又はパーシャルフリージング状態で保存可能な保存庫である。冷凍冷蔵保存庫１００は、収容物が収容される箱状体を呈する本体部１０と、本体部１０に冷気を供給する冷却部２０と、を主に備える。なお、本実施形態では、冷凍冷蔵保存庫１００に収容される収容物が、人又は動物等の遺体である場合を一例に挙げて説明するが、収容物は、遺体に限定されるものではない。遺体以外の収容物として、例えば、魚貝類、肉、野菜、果物等の食品等が挙げられる。
【００１２】
実用新案登録請求の範囲の「冷蔵又は冷凍した状態」とは、パーシャルフリージング状態（半凍結・微凍結状態  約−３℃）も含む意味である。また、「冷気」とは、冷却部２０から供給される冷たい空気を意味し、「排気」とは、収容物を通った後に回収される空気を意味する。
【００１３】
まず、本体部１０について説明する。本体部１０は、冷却部２０の上に配置され、底部１１、底部１１の短手方向から立ち上がる一対の側壁部１２（１２ａ，１２ｂ）、底部１１の長手方向の一端側から立ち上がる一端側側壁部１３、底部１１の長手方向の他端側から立ち上がる他端側側壁部１４、開口を覆う蓋部１５、等を備える。また、本体部１０は、底部１１に取り付けられる複数のキャスタ１６、蓋部１５に取り付けられる覗き窓部１７、脱臭部１８、一対のＬＥＤ１９等を備える。冷凍冷蔵保存庫１００は、人又は動物等の遺体をそのまま収容してもよいが、棺桶３０（図１の二点鎖線）ごと収容可能になっている。棺桶３０は、本体部１０に搬入又は搬出可能になっている。
【００１４】
底部１１は、図１に示すように、前側付近において、一端側底部戻りダクト１１１ａを備え、後側付近において、他端側底部戻りダクト１１１ｂを備える。一端側底部戻りダクト１１１ａは、底部１１の前端から底部排気ダクト１１４まで形成されている。他端側底部戻りダクト１１１ｂは、底部１１の後端から遮蔽板１１３まで形成されている。
【００１５】
また、底部１１は、図１又は図５に示すように、基礎床部１１ａと、基礎床部１１ａを覆う浮床部１１ｂとを備える二重床構造を有する。基礎床部１１ａの中央部には、冷却部２０に連通する冷気用開口部１１ｄ及び排気用開口部１１ｅが形成されている。冷気用開口部１１ｄ及び排気用開口部１１ｅはいずれも平面視矩形を呈し、空気が流通するように形成されている。
【００１６】
図５に示すように、基礎床部１１ａには、複数のキャスタ１６が、所定間隔を空けて逆向きに配置され、浮床部１１ｂには、複数の開口１１ｃが形成される。キャスタ１６は、本実施形態では、左右方向に一対設けられ、前後方向に５列設けられている。キャスタ１６の一部が、開口１１ｃから露出することで、棺桶３０が、浮床部１１ｂの上を滑り易くなるため、棺桶３０を本体部１０の内部へと搬入し易く、また、棺桶３０を本体部１０の外部へと搬出し易くすることができる。なお、図５では、キャスタ１６が左右方向に２個配置される場合を一例に挙げて説明しているが、左右方向又は前後方向に配置されるキャスタ１６の個数は特に限定されるものではない。
【００１７】
また、底部１１は、図１又は図４に示すように、中央付近において、一対の遮蔽板１１３（１１３ａ，１１３ｂ）、底部排気ダクト１１４、底部供給ダクト１１５、等を備える。遮蔽板１１３ａと遮蔽板１１３ｂとの間には、案内板１１６、一対の戻りパイプ１１７（１１７ａ，１１７ｂ）、等が設けられる。
【００１８】
遮蔽板１１３（１１３ａ，１１３ｂ）は、底部供給ダクト１１５の前後方向の両端に設けられ、冷気が流れる空間と排気が流れる空間とを分離する。遮蔽板１１３（１１３ａ，１１３ｂ）は、冷気用開口部１１ｄの前後方向の端部に立設している。遮蔽板１１３は、左右方向の全長に亘って延設されている。底部排気ダクト１１４は、中央部から供給された空気が遺体を通過して一端側及び他端側に回り、底部１１の内部に形成された流路を通って流れてきた排気を、冷却部２０へと戻す流路である。底部供給ダクト１１５は、本体部１０の中央部に冷気を供給する流路である。
【００１９】
案内板１１６は、断面形状が略三角形であり、冷却部２０から供給される冷気が、本体部１０の中央部へと流れる際の、冷気の吹出方向を制御する。即ち、案内板１１６は、冷却部２０から供給される冷気の略半分が、側壁部供給ダクト１２１ａ、側壁部吹出口１２２ａの方向へと流れるように、冷気の方向を制御し、冷却部２０から供給される冷気の略半分が、側壁部供給ダクト１２１ｂ、側壁部吹出口１２２ｂの方向へと流れるように、冷気の方向を制御する。なお、案内板１１６における断面三角形の角度は、適宜、調整することができる。また、案内板１１６は、底部供給ダクト１１５のみならず、側壁部１２或いは蓋部１５に設けられていてもよい。この場合、案内板１１６は、冷却部２０から供給される冷気を遺体側に案内する位置に配置される。
【００２０】
戻りパイプ１１７（１１７ａ，１１７ｂ）は、底部供給ダクト１１５を跨ぐように形成されており、他端側底部戻りダクト１１１ｂと底部排気ダクト１１４とを連通するバイパス管である。戻りパイプ１１７は、本実施形態では左右方向に一本ずつ形成されている。戻りパイプ１１７は、他端側底部戻りダクト１１１ｂを通って流れてきた排気を、冷却部２０へと戻す流路である。戻りパイプ１１７があるので、底部供給ダクト１１５から供給される冷気と排気とが混ざることがない。このように、底部供給ダクト１１５に、排気が流れる流路を形成することで、中央部から一端側に回った排気のみならず、中央部から他端側に回った排気も、冷却部２０へと戻すことができる。なお、本実施形態では、戻りパイプ１１７の断面形状が、円形の場合を一例に挙げて説明しているが、戻りパイプ１１７の断面形状は、特に限定されるものではなく、例えば、正方形、長方形、三角形、六角形、等の多角形であってもよいし、楕円形、等であってもよい。
【００２１】
一端側側壁部１３は、開閉可能な扉として形成される。これにより、一端側側壁部１３から遺体を搬入又は搬出することができる。一端側側壁部１３は、図１に示すように、一端側側壁部吸込ダクト１３１を備え、一端側側壁部吸込ダクト１３１の上端には、一端側側壁部吸込口１３２が設けられる。一端側側壁部吸込口１３２は、本体部１０の中央部から一端側に回った排気を吸い込み、一端側側壁部吸込ダクト１３１は、一端側側壁部吸込口１３２によって吸い込まれた排気を、一端側底部戻りダクト１１１ａへと戻す。一端側側壁部１３は、ヒンジ部を介して開閉可能としてもよいし、ボルト等の締結具を介して着脱可能としてもよい。
【００２２】
他端側側壁部１４は、着脱可能な扉として形成される。他端側側壁部１４は、図１に示すように、他端側側壁部吸込ダクト１４１を備え、他端側側壁部吸込ダクト１４１の上端には、他端側側壁部吸込口１４２が設けられる。他端側側壁部吸込口１４２は、本体部１０の中央部から他端側に回った排気を吸い込み、他端側側壁部吸込ダクト１４１は、他端側側壁部吸込口１４２によって吸い込まれた排気を、他端側底部戻りダクト１１１ｂへと戻す。他端側側壁部１４は、本実施形態では、ボルト等の締結具を介して着脱可能としているが、ヒンジ部を介して開閉可能としてもよい。
【００２３】
冷凍冷蔵保存庫１００において、冷却部２０が本体部１０の下に配置され、本体部１０の内部に冷気を供給する側壁部供給ダクト１２１及び側壁部吹出口１２２が本体部１０の中央部に設けられるため、一端側側壁部１３及び他端側側壁部１４の両方を、開閉可能な扉とすることができ、両方から遺体の搬入又は搬出が可能となる。
【００２４】
上述のように、一端側側壁部１３に、一端側側壁部吸込ダクト１３１、一端側側壁部吸込口１３２を設け、他端側側壁部１４に、他端側側壁部吸込ダクト１４１、他端側側壁部吸込口１４２を設け、底部１１に、一端側底部戻りダクト１１１ａ、他端側底部戻りダクト１１１ｂ、戻りパイプ１１７を設けることで、側壁部から底部へと、更に底部から冷却部２０へと、排気を戻すことが可能になる。つまり、排気を本体部１０の内部で効率的に循環させて冷却部２０へと戻すことができる。
【００２５】
側壁部１２ａは、図２に示すように、本体部１０の左側に形成される側壁である。側壁部１２ａは、側壁部１２ａの幅より狭い側壁部供給ダクト１２１ａを備え、側壁部供給ダクト１２１ａの上端には、側壁部吹出口１２２ａが設けられる。側壁部供給ダクト１２１ａは、底部供給ダクト１１５から供給される冷気の略半分を、側壁部吹出口１２２ａまで流し、側壁部吹出口１２２ａは、本体部１０の内部へと冷気を供給する。
【００２６】
側壁部１２ｂは、図２に示すように、本体部１０の右側に形成される側壁である。側壁部１２ｂは、側壁部１２ｂの幅より狭い側壁部供給ダクト１２１ｂを備え、側壁部供給ダクト１２１ｂの上端には、側壁部吹出口１２２ｂが設けられる。側壁部供給ダクト１２１ｂは、底部供給ダクト１１５から供給される冷気の略半分を、側壁部吹出口１２２ｂまで流し、側壁部吹出口１２２ｂは、本体部１０の内部へと冷気を供給する。
【００２７】
上述のように、一対の側壁部１２（１２ａ，１２ｂ）に、側壁部供給ダクト１２１、側壁部吹出口１２２を設けることで、底部供給ダクト１１５から供給される冷気を、本体部１０の中央部から本体部１０の内部へと供給することが可能になる。つまり、本体部１０の中央部から遺体の頭部側又は脚部側へ冷気を供給できるため、従来よりも低い出力で本体部１０の内部全体に冷気を容易に行き渡らせることができる。また、本体部１０の下部に冷却部２０を設けているため、一端側側壁部１３、他端側側壁部１４の片方又は両方を開閉可能な扉とすることができる。これにより、設計の自由度を高めることができるとともに、遺体を一端側側壁部１３及び他端側側壁部１４の片方又は両方から搬出又は搬入が可能となる。また、従来のように、一端側側壁部１３側又は他端側側壁部１４のどちらか一方に冷却部を設ける必要がないため、前後方向における本体部１０の寸法を短くすることができ、更に、本体部１０の体積を小さくすることができるため、冷凍冷蔵保存庫１００において、消費エネルギーを大幅に削減することが可能になる。
【００２８】
蓋部１５は、本体部１０の上部に形成される開口を覆う板状の部材である。図２に示すように、本体部１０の上部を、領域Ａ，領域Ｂ，領域Ｃに分けると、蓋部１５のうち領域Ｂは、ボルト等の締結具により取り外し可能な領域である。また、蓋部１５のうち領域Ａは、他端側側壁部１４、及び一対の側壁部１２（１２ａ，１２ｂ）の一部に固定され、取り外し不可能な領域である。また、蓋部１５のうち領域Ｃは、一端側側壁部１３、及び一対の側壁部１２（１２ａ，１２ｂ）の一部に固定され、取り外し不可能な領域である。蓋部１５の一部を一対の側壁部１２等に固定する（取り外し不可能とする）ことにより、本体部１０の強度を高めることができる。これにより、長時間搬送したり、本体部１０を上下方向に昇降移動させても、壊れにくい冷凍冷蔵保存庫１００を実現できる。また、蓋部１５の一部を取り外し可能とすることにより、本体部１０の内部を確認したり、メンテナンスしたりすることができる。
【００２９】
上述の、底部１１、一対の側壁部１２、一端側側壁部１３、他端側側壁部１４、蓋部１５は、図６（ｂ）に示すように、はしご状に組まれた木材フレーム（例えば、木枠１７４）を骨組みとするとともに、ボンデ鋼板４１、グラスウール４２、ステンレス鋼板４３、等で構成される三重構造を有する。本体部１０の内側を、ステンレス鋼板４３で構成することで、消臭性及び抗菌性が高く、清潔性に優れた冷凍冷蔵保存庫を実現できる。また、本体部１０の外側を、ボンデ鋼板４１で構成することで、サビにくく、塗装等の密着性を高めた冷凍冷蔵保存庫を実現できる。また、ボンデ鋼板４１とステンレス鋼板４３との間に、グラスウール４２を挿入することで、保冷性能及び保温性能の高い冷凍冷蔵保存庫を提供できる。また、骨組みを木材フレームとすることにより、本体部１０の内部が結露するのを防止することができる。また、上述の、底部１１、一対の側壁部１２、一端側側壁部１３、他端側側壁部１４は、それぞれ、接着剤等によって接着された後、ボルト等の締結具によって固定される。
【００３０】
覗き窓部１７は、遺体の顔を視認するための小窓であって、蓋部１５のうち領域Ｃに形成されている。覗き窓部１７は、図６に示すように、三重ガラス構造を有し、各ガラス１７１間には、空気層１７２，１７２が形成され、空気層１７２，１７２の端部には、矩形枠状に吸湿材１７３が配置される。覗き窓部１７の周囲は、木枠１７４で囲まれている。ガラス１７１間に吸湿材１７３を配置することで、断熱性を高めることができるとともに、ガラス１７１に発生する曇りや結露を防止することができる。なお、覗き窓部１７は、二重ガラス構造等であってもよいが、ガラスの枚数が多い程、吸湿材１７３を多く配置することができるため、ガラス１７１に発生する曇りや結露を効果的に防止できる。
【００３１】
脱臭部１８は、図２に示すように、蓋部１５の裏側に取り付けられ、遺体から発生する悪臭や異臭を除去する。脱臭部１８としては、例えば、分解触媒型の脱臭剤、オゾン脱臭器、或いは、光触媒脱臭装置、等が挙げられる。脱臭部１８は、後述の制御装置２１によって、オンオフ制御されるように構成してもよい。
【００３２】
ＬＥＤ１９，１９は、蓋部１５の内部において、覗き窓部１７付近に取り付けられている。ＬＥＤ１９は、後述の制御装置２１によって、オンオフ制御され、遺族や会葬者が遺体と面会する場合には点灯し、遺族や会葬者が遺体と面会しない場合には消灯する。
【００３３】
次に、図１に示すように、冷却部２０について説明する。冷却部２０は、制御装置２１、熱交換器２２、コンプレッサ２３、冷却ファン２４、冷却装置２５、補助部２６（２６ａ，２６ｂ）、ドレン受け２７、キャスタ２８、等を備える。冷却部２０は、ボルト２９等の締結具によって、底部１１の裏面に固定される。なお、冷却部２０は、温度計、除霜ヒータ、ファン回転数センサ、等を備えていてもよい。
【００３４】
制御装置２１は、脱臭部１８、ＬＥＤ１９、コンプレッサ２３、冷却ファン２４、冷却装置２５、補助部２６、等を制御する。制御装置２１は、脱臭部１８及びＬＥＤ１９等のオンオフを制御する。また、制御装置２１は、コンプレッサ２３、冷却ファン２４、冷却装置２５、等を駆動制御することで、本体部１０の内部の温度を調整する。なお、制御装置２１は、制御ボタンやスイッチ等によって操作されてもよいし、タッチパネル式の表示部や音声発生部等によって操作されてもよい。
【００３５】
熱交換器２２は、冷却装置２５から送られてきた液化した冷媒を蒸発させて、冷媒と空気との間で熱交換を行う。冷却ファン２４は、冷却した熱交換器２２に風を送り、熱交換器２２から底部供給ダクト１１５へと、冷気を流す。コンプレッサ２３は、底部排気ダクト１１４から冷媒を吸入し、高温高圧の冷媒に圧縮して、冷却装置２５へと吐出する。冷却装置２５は、コンプレッサ２３から吐出される高温高圧の冷媒を凝縮し、液化した冷媒を熱交換器２２へと送る。
【００３６】
補助部２６（２６ａ，２６ｂ）は、冷却部２０を収容する筐体４０の前側及び後側にそれぞれ形成されている。補助部２６の下面にはキャスタ２８がそれぞれ設けられている。補助部２６の下面は、筐体４０の下面よりも上方に位置するように形成されている。冷凍冷蔵保存庫の高さが高くなると、遺体を視認するのが困難になるが、このような段差を設けて補助部２６の下面の高さを調節することにより、冷凍冷蔵保存庫１００の高さを低く抑えることができる。
【００３７】
ドレン受け２７は、冷却部２０の下部に取り付けられ、熱交換器２２等で発生したドレンを受け止める。ドレン受け２７によって受け止められたドレンは、自然蒸発させてもよいし、回収管等によって回収させてもよい。
【００３８】
キャスタ２８は、補助部２６の下部に複数個取り付けられる。キャスタ２８を設けることで、冷凍冷蔵保存庫１００の設置場所を容易に変更することができる。
【００３９】
以上説明した本実施形態に係る冷凍冷蔵保存庫１００は、本体部１０の中央部から本体部１０の内部に冷気が供給されるとともに、当該中央部から一端側及び他端側に回った空気（排気）が底部１１の内部に形成された流路を通って冷却部２０に戻って循環するように構成される。これにより、冷気を本体部１０の内部全体に効率的に行き渡らせることができるため、遺体を長期間保存することができる。
【００４０】
≪冷気の流れ≫
図２、図３、及び図４を参照して、本実施形態に係る冷凍冷蔵保存庫１００における冷気の流れについて説明する。
【００４１】
まず、図３又は図４に示すように、冷却部２０から底部供給ダクト１１５へと供給される冷気は、案内板１１６によって方向制御されて、左右方向に略均等に分離する。
【００４２】
その後、図３又は図４に示すように、左方向に流れる冷気は、底部供給ダクト１１５から側壁部供給ダクト１２１ａへと流れ、側壁部供給ダクト１２１ａ内部を上昇し、側壁部吹出口１２２ａまで達する。同様に、右方向に分離された冷気は、底部供給ダクト１１５から側壁部供給ダクト１２１ｂへと流れ、側壁部供給ダクト１２１ｂ内部を上昇し、側壁部吹出口１２２ｂまで達する。
【００４３】
その後、図２又は図３に示すように、側壁部吹出口１２２ａまで達した冷気は、側壁部吹出口１２２ａから本体部１０の内部へと放出される。同様に、側壁部吹出口１２２ｂまで達した冷気は、側壁部吹出口１２２ｂから本体部１０の内部へと放出される。
【００４４】
その後、図３に示すように、側壁部吹出口１２２ａ，１２２ｂから吹き出した冷気は、本体部１０の内部を循環して遺体を冷却する。このように、冷気は、底部１１及び一対の側壁部１２を通って本体部１０の中央部から、本体部１０の内部へと供給される。これにより、冷気を本体部１０の内部全体に行き渡らせることができるため、遺体を長期間保存することが可能になる。
【００４５】
なお、側壁部供給ダクトの幅が広すぎると、側壁部吹出口１２２から吹き出す冷気の勢いが弱くなるため、冷気が均等に広がらず、冷気を本体部１０の内部全体に行き渡らせることができなくなってしまう。また、側壁部供給ダクトの幅が狭すぎると、側壁部吹出口１２２から吹き出す冷気の勢いが強くなるため、本体部１０の内部の特定個所が冷え過ぎてしまう。従って、側壁部供給ダクト１２１の幅は、冷気の広がる速度や勢い等を考慮して適宜調整される。
【００４６】
≪排気の流れ≫
図１、図２、及び図４をを参照して、本実施形態に係る冷凍冷蔵保存庫１００における排気の流れについて説明する。
【００４７】
まず、図１又は図２に示すように、本体部１０の中央部から一端側（遺体の頭部側）に回った排気は、一端側側壁部吸込口１３２によって吸い込まれ、本体部１０の中央部から他端側（遺体の脚部側）に回った排気は、他端側側壁部吸込口１４２によって吸い込まれる。
【００４８】
その後、図１に示すように、一端側側壁部吸込口１３２によって吸い込まれた排気は、一端側側壁部吸込ダクト１３１を流れて、一端側側壁部吸込ダクト１３１の内部を下降し、一端側底部戻りダクト１１１ａ、底部排気ダクト１１４を経由して冷却部２０に戻る。
同様に、他端側側壁部吸込口１４２によって吸い込まれた排気は、他端側側壁部吸込ダクト１４１を流れて、他端側側壁部吸込ダクト１４１の内部を下降し、他端側底部戻りダクト１１１ｂ、戻りパイプ１１７、底部排気ダクト１１４を経由して冷却部２０に戻る。
【００４９】
その後、図１に示すように、冷却部２０に取り込まれた排気は、冷却部２０を循環して冷気となり、再び、冷却部２０から底部供給ダクト１１５へと供給される。このように、排気は、本体部１０の中央部から、一端側及び他端側に回り、一端側側壁部１３、他端側側壁部１４、及び底部１１の内部に形成された流路を通って、冷却部２０に戻る。排気を本体部１０の内部で循環させて冷却部２０へと戻し、冷気を本体部１０の中央部から本体部１０の内部へと供給して循環させることで、遺体を長期間保存することができる。
【００５０】
本実施形態に係る冷凍冷蔵保存庫１００によれば、遺体を冷却する冷却部が本体部の下に配置され、冷気が本体部１０の中央部から本体部１０の内部へと供給される。これにより、従来よりも低い出力で本体部１０の内部全体に冷気を容易に行き渡らせることができる。更に、ドライアイス等を使用しなくても、遺体を長期間保存することができるため、ドライアイスを棺桶に入れたまま火葬することによって、金属が炭化して火葬炉が故障する、ドライアイスの昇華によって、排ガスが多量に発生する、等の従来の冷凍冷蔵保存庫に生じていた不具合を回避することができる。
【００５１】
以上、本考案に係る実施形態について説明したが、本考案は前述の実施形態に限られず、前記の各構成要素については本考案の趣旨を逸脱しない範囲で適宜変更が可能である。例えば、本実施形態では、一端側側壁部１３、他端側側壁部１４を排気の流路としていたが、一端側側壁部１３及び他端側側壁部１４を経由せず、底部１１から直接排気を回収してもよい。また、例えば、遺体を棺桶３０に収容した後、棺桶３０を本体部１０に搬入してもよいし、遺体を直接、本体部１０に収容してもよい。
【符号の説明】
【００５２】
１０      本体部
１１      底部
１２      一対の側壁部
１３      一端側側壁部
１４      他端側側壁部
１５      蓋部
２０      冷却部
２２      熱交換器
１００    冷凍冷蔵保存庫
１１１ａ  一端側底部戻りダクト（流路）
１１１ｂ  他端側底部戻りダクト（流路）
１１４    底部排気ダクト（流路）
１１７    戻りパイプ（流路）
【図１】
0003213007.tif 000003
【図２】
0003213007.tif 000004
【図３】
0003213007.tif 000005
【図４】
0003213007.tif 000006
【図５】
0003213007.tif 000007
【図６】
0003213007.tif 000008